【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
筒状の中央ベース部（Ａ）と、この中央ベース部（Ａ）の外面側に筒周方向で間隔をおいて突設される複数のフィン（Ｂ）を有するヒートシンクであって、
同一形状の複数の構成部材（ｘ）が環状に連結されることにより構成され、
各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、
複数の構成部材（ｘ）は、隣接する構成部材（ｘ）のベース部（ａ）間で連結手段構成部（ｃ）を連結させることにより、環状に連結されることを特徴とするヒートシンク。
【請求項２】
複数の構成部材（ｘ）が環状に連結された状態で、各構成部材（ｘ）をスプレッダに固定することにより、構成部材（ｘ）どうしが相互に固定されることを特徴とする請求項１に記載のヒートシンク。
【請求項３】
筒状の中央ベース部（Ａ）と、この中央ベース部（Ａ）の外面側に筒周方向で間隔をおいて突設される複数のフィン（Ｂ）を有するヒートシンクであって、
同一形状の複数の構成部材（ｘ）が環状に組み合わされることにより構成され、
各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、
複数の構成部材（ｘ）は、隣接する構成部材（ｘ）のベース部（ａ）間で係合部（ｄ）を係合させることにより、環状に組み合わされることを特徴とするヒートシンク。
【請求項４】
複数の構成部材（ｘ）が環状に組み合わされた状態で、各構成部材（ｘ）をスプレッダに固定することにより、構成部材（ｘ）どうしが相互に固定されることを特徴とする請求項３に記載のヒートシンク。
【請求項５】
構成部材（ｘ）のベース部（ａ）及び／又はフィン（ｂ）に、溝端部にスプレッダ固定用のネジを取り付けるための凹溝（５）を有することを特徴とする請求項１〜４のいずれかに記載のヒートシンク。
【請求項６】
筒状の中央ベース部（Ａ）と、この中央ベース部（Ａ）の外面側に筒周方向で間隔をおいて突設される複数のフィン（Ｂ）を有するヒートシンクの製造方法であって、
中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、複数のフィン（ｂ）のうちの一部のフィン（ｂ）が、ベース部（ａ）に突設される幹状フィン部（b1）と、この幹状フィン部（b1）に突設される枝状フィン部（b2）からなる、同一形状の複数の構成部材（ｘ）を、隣接する構成部材（ｘ）のベース部（ａ）間で連結手段構成部（ｃ）を連結させることにより、環状に連結することを特徴とするヒートシンクの製造方法。
【請求項７】
複数の構成部材（ｘ）を環状に連結した状態で、連結された連結手段構成部（ｃ）を部分的に塑性変形させて連結手段構成部（ｃ）どうしを固定的又は半固定的な連結状態とすることにより、構成部材（ｘ）どうしを相互に固定することを特徴とする請求項６に記載のヒートシンクの製造方法。
【請求項８】
複数の構成部材（ｘ）を環状に連結した状態で、各構成部材（ｘ）をスプレッダに固定することにより、構成部材（ｘ）どうしを相互に固定することを特徴とする請求項６に記載のヒートシンクの製造方法。
【請求項９】
筒状の中央ベース部（Ａ）と、この中央ベース部（Ａ）の外面側に筒周方向で間隔をおいて突設される複数のフィン（Ｂ）を有するヒートシンクの製造方法であって、
中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、複数のフィン（ｂ）のうちの一部のフィン（ｂ）が、ベース部（ａ）に突設される幹状フィン部（b1）と、この幹状フィン部（b1）に突設される枝状フィン部（b2）からなる、同一形状の複数の構成部材（ｘ）を、隣接する構成部材（ｘ）のベース部（ａ）間で係合部（ｄ）を係合させることにより、環状に組み合わせるとともに、各構成部材（ｘ）をスプレッダに固定することにより、構成部材（ｘ）どうしを相互に固定することを特徴とするヒートシンクの製造方法。
【請求項１０】
筒状の中央ベース部（Ａ）と、この中央ベース部（Ａ）の外面側に筒周方向で間隔をおいて突設される複数のフィン（Ｂ）を有するヒートシンクを備える電気機器であって、
ヒートシンクは、同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で連結手段構成部（ｃ）を連結させることにより、環状に連結されたものであり、
筒状の中央ベース部（Ａ）の内部には、機器の部品が配置されることを特徴とする電気機器。
【請求項１１】
筒状の中央ベース部（Ａ）と、この中央ベース部（Ａ）の外面側に筒周方向で間隔をおいて突設される複数のフィン（Ｂ）を有するヒートシンクを備える電気機器であって、
ヒートシンクは、同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で係合部（ｄ）を係合させることにより、環状に組み合わされるとともに、各構成部材（ｘ）がスプレッダに固定されることにより、構成部材（ｘ）どうしが相互に固定されたものであり、
筒状の中央ベース部（Ａ）の内部には、機器の部品が配置されることを特徴とする電気機器。
【請求項１２】
筒状の中央ベース部（Ａ）と、この中央ベース部（Ａ）の外面側に筒周方向で間隔をおいて突設される複数のフィン（Ｂ）を有するヒートシンクを備える電気機器の製造方法であって、
同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で連結手段構成部（ｃ）を連結されることにより、環状に連結されるようにしたヒートシンクを用い、
ヒートシンクの複数の構成部材（ｘ）を組み立てて環状に連結する際に、筒状の中央ベース部（Ａ）の内部に、機器の部品を配置することを特徴とする電気機器の製造方法。
【請求項１３】
筒状の中央ベース部（Ａ）と、この中央ベース部（Ａ）の外面側に筒周方向で間隔をおいて突設される複数のフィン（Ｂ）を有するヒートシンクを備える電気機器の製造方法であって、
同一形状の複数の構成部材（ｘ）が環状に組み合わされることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で係合部（ｄ）を係合させることにより、環状に組み合わされるとともに、各構成部材（ｘ）がスプレッダに固定されることにより、構成部材（ｘ）どうしが相互に固定されるようにしたヒートシンクを用い、
ヒートシンクの複数の構成部材（ｘ）を環状に組み合わせる際に、筒状の中央ベース部（Ａ）の内部に、機器の部品を配置することを特徴とする電気機器の製造方法。
【請求項１４】
筒状の中央ベース部（Ａ）と、この中央ベース部（Ａ）の外面側に筒周方向で間隔をおいて突設される複数のフィン（Ｂ）を有し、同一形状の複数の構成部材（ｘ）が環状に連結されることにより構成されるヒートシンクの構成部材（ｘ）であって、
中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有し、
複数のフィン（ｂ）のうちの一部のフィン（ｂ）が、ベース部（ａ）に突設される幹状フィン部（b1）と、この幹状フィン部（b1）に突設される枝状フィン部（b2）からなることを特徴とするヒートシンクの構成部材。
【請求項１５】
筒状の中央ベース部（Ａ）と、この中央ベース部（Ａ）の外面側に筒周方向で間隔をおいて突設される複数のフィン（Ｂ）を有し、同一形状の複数の構成部材（ｘ）が環状に組み合わされることにより構成されるヒートシンクの構成部材（ｘ）であって、
中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有し、
複数のフィン（ｂ）のうちの一部のフィン（ｂ）が、ベース部（ａ）に突設される幹状フィン部（b1）と、この幹状フィン部（b1）に突設される枝状フィン部（b2）からなることを特徴とするヒートシンクの構成部材。
【手続補正２】
【補正対象書類名】明細書
【補正対象項目名】０００９
【補正方法】変更
【補正の内容】
【０００９】
上記課題を解決するための本発明の要旨は以下のとおりである。
［1］筒状の中央ベース部（Ａ）と、この中央ベース部（Ａ）の外面側に筒周方向で間隔をおいて突設される複数のフィン（Ｂ）を有するヒートシンクであって、
同一形状の複数の構成部材（ｘ）が環状に連結されることにより構成され、
各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、
複数の構成部材（ｘ）は、隣接する構成部材（ｘ）のベース部（ａ）間で連結手段構成部（ｃ）を連結させることにより、環状に連結されることを特徴とするヒートシンク。
【手続補正３】
【補正対象書類名】明細書
【補正対象項目名】００１０
【補正方法】変更
【補正の内容】
【００１０】
［2］上記［1］のヒートシンクにおいて、複数の構成部材（ｘ）が環状に連結された状態で、各構成部材（ｘ）をスプレッダに固定することにより、構成部材（ｘ）どうしが相互に固定されることを特徴とするヒートシンク。
【手続補正４】
【補正対象書類名】明細書
【補正対象項目名】００１１
【補正方法】変更
【補正の内容】
【００１１】
［3］筒状の中央ベース部（Ａ）と、この中央ベース部（Ａ）の外面側に筒周方向で間隔をおいて突設される複数のフィン（Ｂ）を有するヒートシンクであって、
同一形状の複数の構成部材（ｘ）が環状に組み合わされることにより構成され、
各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、
複数の構成部材（ｘ）は、隣接する構成部材（ｘ）のベース部（ａ）間で係合部（ｄ）を係合させることにより、環状に組み合わされることを特徴とするヒートシンク。
【手続補正５】
【補正対象書類名】明細書
【補正対象項目名】００１２
【補正方法】変更
【補正の内容】
【００１２】
［4］上記［3］のヒートシンクにおいて、複数の構成部材（ｘ）が環状に組み合わされた状態で、各構成部材（ｘ）をスプレッダに固定することにより、構成部材（ｘ）どうしが相互に固定されることを特徴とするヒートシンク。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
［5］上記［1］〜［4］のいずれかのヒートシンクにおいて、構成部材（ｘ）のベース部（ａ）及び／又はフィン（ｂ）に、溝端部にスプレッダ固定用のネジを取り付けるための凹溝（５）を有することを特徴とするヒートシンク。
【手続補正１１】
【補正対象書類名】明細書
【補正対象項目名】００１８
【補正方法】変更
【補正の内容】
【００１８】
［6］筒状の中央ベース部（Ａ）と、この中央ベース部（Ａ）の外面側に筒周方向で間隔をおいて突設される複数のフィン（Ｂ）を有するヒートシンクの製造方法であって、
中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、複数のフィン（ｂ）のうちの一部のフィン（ｂ）が、ベース部（ａ）に突設される幹状フィン部（b1）と、この幹状フィン部（b1）に突設される枝状フィン部（b2）からなる、同一形状の複数の構成部材（ｘ）を、隣接する構成部材（ｘ）のベース部（ａ）間で連結手段構成部（ｃ）を連結させることにより、環状に連結することを特徴とするヒートシンクの製造方法。
［7］上記［6］の製造方法において、複数の構成部材（ｘ）を環状に連結した状態で、連結された連結手段構成部（ｃ）を部分的に塑性変形させて連結手段構成部（ｃ）どうしを固定的又は半固定的な連結状態とすることにより、構成部材（ｘ）どうしを相互に固定することを特徴とするヒートシンクの製造方法。
【手続補正１２】
【補正対象書類名】明細書
【補正対象項目名】００１９
【補正方法】変更
【補正の内容】
【００１９】
［8］上記［6］の製造方法において、複数の構成部材（ｘ）を環状に連結した状態で、各構成部材（ｘ）をスプレッダに固定することにより、構成部材（ｘ）どうしを相互に固定することを特徴とするヒートシンクの製造方法。
［9］筒状の中央ベース部（Ａ）と、この中央ベース部（Ａ）の外面側に筒周方向で間隔をおいて突設される複数のフィン（Ｂ）を有するヒートシンクの製造方法であって、
中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、複数のフィン（ｂ）のうちの一部のフィン（ｂ）が、ベース部（ａ）に突設される幹状フィン部（b1）と、この幹状フィン部（b1）に突設される枝状フィン部（b2）からなる、同一形状の複数の構成部材（ｘ）を、隣接する構成部材（ｘ）のベース部（ａ）間で係合部（ｄ）を係合させることにより、環状に組み合わせるとともに、各構成部材（ｘ）をスプレッダに固定することにより、構成部材（ｘ）どうしを相互に固定することを特徴とするヒートシンクの製造方法。
【手続補正１３】
【補正対象書類名】明細書
【補正対象項目名】００２０
【補正方法】変更
【補正の内容】
【００２０】
［10］筒状の中央ベース部（Ａ）と、この中央ベース部（Ａ）の外面側に筒周方向で間隔をおいて突設される複数のフィン（Ｂ）を有するヒートシンクを備える電気機器であって、
ヒートシンクは、同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で連結手段構成部（ｃ）を連結させることにより、環状に連結されたものであり、
筒状の中央ベース部（Ａ）の内部には、機器の部品が配置されることを特徴とする電気機器。
【手続補正１４】
【補正対象書類名】明細書
【補正対象項目名】００２１
【補正方法】変更
【補正の内容】
【００２１】
［11］筒状の中央ベース部（Ａ）と、この中央ベース部（Ａ）の外面側に筒周方向で間隔をおいて突設される複数のフィン（Ｂ）を有するヒートシンクを備える電気機器であって、
ヒートシンクは、同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で係合部（ｄ）を係合させることにより、環状に組み合わされるとともに、各構成部材（ｘ）がスプレッダに固定されることにより、構成部材（ｘ）どうしが相互に固定されたものであり、
筒状の中央ベース部（Ａ）の内部には、機器の部品が配置されることを特徴とする電気機器。
【手続補正１５】
【補正対象書類名】明細書
【補正対象項目名】００２２
【補正方法】変更
【補正の内容】
【００２２】
［12］筒状の中央ベース部（Ａ）と、この中央ベース部（Ａ）の外面側に筒周方向で間隔をおいて突設される複数のフィン（Ｂ）を有するヒートシンクを備える電気機器の製造方法であって、
同一形状の複数の構成部材（ｘ）が環状に連結されることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で連結手段構成部（ｃ）を連結されることにより、環状に連結されるようにしたヒートシンクを用い、
ヒートシンクの複数の構成部材（ｘ）を組み立てて環状に連結する際に、筒状の中央ベース部（Ａ）の内部に、機器の部品を配置することを特徴とする電気機器の製造方法。
【手続補正１６】
【補正対象書類名】明細書
【補正対象項目名】００２３
【補正方法】変更
【補正の内容】
【００２３】
［13］筒状の中央ベース部（Ａ）と、この中央ベース部（Ａ）の外面側に筒周方向で間隔をおいて突設される複数のフィン（Ｂ）を有するヒートシンクを備える電気機器の製造方法であって、
同一形状の複数の構成部材（ｘ）が環状に組み合わされることにより構成され、各構成部材（ｘ）は、中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有するとともに、構成部材（ｘ）が有する複数のフィン（ｂ）のうちの一部のフィン（ｂ）が、ベース部（ａ）に突設される幹状フィン部（b1）と、この幹状フィン部（b1）に突設される枝状フィン部（b2）からなり、複数の構成部材（ｘ）が、隣接する構成部材（ｘ）のベース部（ａ）間で係合部（ｄ）を係合させることにより、環状に組み合わされるとともに、各構成部材（ｘ）がスプレッダに固定されることにより、構成部材（ｘ）どうしが相互に固定されるようにしたヒートシンクを用い、
ヒートシンクの複数の構成部材（ｘ）を環状に組み合わせる際に、筒状の中央ベース部（Ａ）の内部に、機器の部品を配置することを特徴とする電気機器の製造方法。
［14］筒状の中央ベース部（Ａ）と、この中央ベース部（Ａ）の外面側に筒周方向で間隔をおいて突設される複数のフィン（Ｂ）を有し、同一形状の複数の構成部材（ｘ）が環状に連結されることにより構成されるヒートシンクの構成部材（ｘ）であって、
中央ベース部（Ａ）の一部を構成するベース部（ａ）と、このベース部（ａ）に突設される複数のフィン（ｂ）と、ベース部（ａ）に形成され、他の構成部材（ｘ）の連結手段構成部（ｃ）と連結される連結手段構成部（ｃ）を有し、
複数のフィン（ｂ）のうちの一部のフィン（ｂ）が、ベース部（ａ）に突設される幹状フィン部（b1）と、この幹状フィン部（b1）に突設される枝状フィン部（b2）からなることを特徴とするヒートシンクの構成部材。
［15］筒状の中央ベース部（Ａ）と、この中央ベース部（Ａ）の外面側に筒周方向で間隔をおいて突設される複数のフィン（Ｂ）を有し、同一形状の複数の構成部材（ｘ）が環状に組み合わされることにより構成されるヒートシンクの構成部材（ｘ）であって、
中央ベース部（Ａ）の一部を構成するベース部（ａ）と、このベース部（ａ）に突設される複数のフィン（ｂ）と、ベース部（ａ）に形成され、他の構成部材（ｘ）の係合部（ｄ）と係合することができる係合部（ｄ）を有し、
複数のフィン（ｂ）のうちの一部のフィン（ｂ）が、ベース部（ａ）に突設される幹状フィン部（b1）と、この幹状フィン部（b1）に突設される枝状フィン部（b2）からなることを特徴とするヒートシンクの構成部材。